(57)【要約】【課題】ユーザの利便性を向上させることができる、制御装置、制御方法、及び制御プログラムを提供する。【解決手段】クライアント装置１０にて制御部（制御装置）１６は、ヘッダ部及び複数の部品を含むウェブコンテンツの該複数の部品を関連性に基づきグルーピングして得られる各グループのグループ単位関心度に基づく順番で取得して、グループ単位で段階的にウェブコンテンツを表示させる。【選択図】図２
2019144982.tif 000002
【特許請求の範囲】
【請求項１】
ヘッダ部及び複数の部品を含み且つコンテンツ提供装置から提供されるウェブコンテンツの、前記複数の部品を関連性に基づいてグルーピングした複数のグループであって、各グループが前記複数の部品のうちの少なくとも１つの部品を含む、前記複数のグループと、各グループに対するユーザのグループ単位関心度との対応関係において前記複数のグループのうちで前記グループ単位関心度が最も高い第１グループに含まれる第１部品及び前記ヘッダ部を取得するための部分コンテンツ取得要求を前記コンテンツ提供装置へ送信し、前記複数のグループのうちの前記第１グループを除く残りの各第２グループに含まれる第２部品を取得するための複数のグループ取得要求を、前記部分コンテンツ取得要求よりも後に前記コンテンツ提供装置へ送信し、前記部分コンテンツ取得要求に対応する前記第１部品及び前記ヘッダ部を、各グループ取得要求に対応する前記第２部品を取得する前に、前記コンテンツ提供装置から取得する取得制御部と、
前記取得された第２部品を表示部に表示させる前に、前記取得された第１部品及びヘッダ部を前記表示部に表示させる表示制御部と、
を具備する制御装置。
【請求項２】
前記取得制御部は、前記複数のグループ取得要求を、前記対応関係における前記グループ単位関心度が高い前記第２グループに対応する前記グループ取得要求から順番に送信し、前記グループ取得要求の送信順序に従って、前記グループ取得要求に対応する前記第２部品を取得する、
請求項１記載の制御装置。
【請求項３】
前記取得制御部は、前記ウェブコンテンツを初めて取得するためのユーザによる操作信号が受け付けられた場合、前記ウェブコンテンツの全体を取得するための全体取得要求を、前記コンテンツ提供装置へ送信し、前記ウェブコンテンツの全体を前記コンテンツ提供装置から取得し、
前記表示制御部は、前記取得したウェブコンテンツの全体を前記表示部に表示させ、
前記制御装置は、
前記表示されたウェブコンテンツの全体に含まれる各部品に対する前記ユーザの部品単位関心度を測定する部品単位関心度測定部と、
前記表示されたウェブコンテンツの全体に含まれる複数の部品のうちで、一の部品に対する操作に起因した他の部品の表示変化の有無に基づいて、前記複数の部品をグルーピングして、前記複数のグループを形成するグループ形成部と、
前記測定された部品単位関心度と前記形成された複数のグループとに基づいて、グループ単位関心度を算出するグループ単位関心度算出部と、
をさらに具備する、請求項１又は２に記載の制御装置。
【請求項４】
前記表示制御部は、前記グループ単位関心度が所定レベルより小さい前記第２グループである低関心度グループの第２部品を前記表示部に表示させる前に、前記表示部における前記低関心度グループの第２部品の表示予定位置に取得操作ボタンを表示させ、
前記取得制御部は、前記ユーザの操作によって前記取得操作ボタンが押されたときに、前記低関心度グループの第２部品を取得するための前記グループ取得要求を送信する、
請求項１から３のいずれか１項に記載の制御装置。
【請求項５】
制御装置によって実行される制御方法であって、
ヘッダ部及び複数の部品を含み且つコンテンツ提供装置から提供されるウェブコンテンツの、前記複数の部品を関連性に基づいてグルーピングした複数のグループであって、各グループが前記複数の部品のうちの少なくとも１つの部品を含む、前記複数のグループと、各グループに対するユーザのグループ単位関心度との対応関係において前記複数のグループのうちで前記グループ単位関心度が最も高い第１グループに含まれる第１部品及び前記ヘッダ部を取得するための部分コンテンツ取得要求を前記コンテンツ提供装置へ送信し、
前記複数のグループのうちの前記第１グループを除く残りの各第２グループに含まれる第２部品を取得するための複数のグループ取得要求を、前記部分コンテンツ取得要求よりも後に前記コンテンツ提供装置へ送信し、
前記部分コンテンツ取得要求に対応する前記第１部品及び前記ヘッダ部を、各グループ取得要求に対応する前記第２部品を取得する前に、前記コンテンツ提供装置から取得し、
前記取得された第２部品を表示部に表示させる前に、前記取得された第１部品及びヘッダ部を前記表示部に表示させる、
制御方法。
【請求項６】
ヘッダ部及び複数の部品を含み且つコンテンツ提供装置から提供されるウェブコンテンツの、前記複数の部品を関連性に基づいてグルーピングした複数のグループであって、各グループが前記複数の部品のうちの少なくとも１つの部品を含む、前記複数のグループと、各グループに対するユーザのグループ単位関心度との対応関係において前記複数のグループのうちで前記グループ単位関心度が最も高い第１グループに含まれる第１部品及び前記ヘッダ部を取得するための部分コンテンツ取得要求を前記コンテンツ提供装置へ送信し、
前記複数のグループのうちの前記第１グループを除く残りの各第２グループに含まれる第２部品を取得するための複数のグループ取得要求を、前記部分コンテンツ取得要求よりも後に前記コンテンツ提供装置へ送信し、
前記部分コンテンツ取得要求に対応する前記第１部品及び前記ヘッダ部を、各グループ取得要求に対応する前記第２部品を取得する前に、前記コンテンツ提供装置から取得し、
前記取得された第２部品を表示部に表示させる前に、前記取得された第１部品及びヘッダ部を前記表示部に表示させる、
処理を、制御装置に実行させる制御プログラム。
【発明の詳細な説明】
【技術分野】
【０００１】
本開示は、制御装置、制御方法、及び制御プログラムに関する。
【背景技術】
【０００２】
ユーザがパソコンにて作成・閲覧したテキストデータに基づいて、ユーザの関心事を推定すると共にコンテンツを取得し、ユーザの現在の関心事に類似する関心事に対応するコンテンツを優先的に出力する装置が提案されている（例えば、特許文献１）。
【先行技術文献】
【特許文献】
【０００３】
【特許文献１】特開２００６−２２８１３４号公報
【発明の概要】
【発明が解決しようとする課題】
【０００４】
本発明者は、上記の特許文献１に開示されている技術では、複数のコンテンツ間の関連性が考慮されていないため、コンテンツの表示に関してユーザの利便性が良くない可能性があることを見出した。
【０００５】
そして、本発明者は、ヘッダ部及び複数の部品を含むウェブコンテンツの該複数の部品を関連性に基づきグルーピングして得られる各グループのグループ単位関心度に基づく順番で、グループ単位で段階的にウェブコンテンツを表示させることにより、よりユーザの利便性を向上させることができることを見出した。
【０００６】
本開示の目的は、ユーザの利便性を向上させることができる、制御装置、制御方法、及び制御プログラムを提供することにある。
【課題を解決するための手段】
【０００７】
第１の態様にかかる制御装置は、ヘッダ部及び複数の部品を含み且つコンテンツ提供装置から提供されるウェブコンテンツの、前記複数の部品を関連性に基づいてグルーピングした複数のグループであって、各グループが前記複数の部品のうちの少なくとも１つの部品を含む、前記複数のグループと、各グループに対するユーザのグループ単位関心度との対応関係において前記複数のグループのうちで前記グループ単位関心度が最も高い第１グループに含まれる第１部品及び前記ヘッダ部を取得するための部分コンテンツ取得要求を前記コンテンツ提供装置へ送信し、前記複数のグループのうちの前記第１グループを除く残りの各第２グループに含まれる第２部品を取得するための複数のグループ取得要求を、前記部分コンテンツ取得要求よりも後に前記コンテンツ提供装置へ送信し、前記部分コンテンツ取得要求に対応する前記第１部品及び前記ヘッダ部を、各グループ取得要求に対応する前記第２部品を取得する前に、前記コンテンツ提供装置から取得する取得制御部と、前記取得された第２部品を表示部に表示させる前に、前記取得された第１部品及びヘッダ部を前記表示部に表示させる表示制御部と、を具備する。
【０００８】
第２の態様にかかる制御方法は、制御装置によって実行される制御方法であって、ヘッダ部及び複数の部品を含み且つコンテンツ提供装置から提供されるウェブコンテンツの、前記複数の部品を関連性に基づいてグルーピングした複数のグループであって、各グループが前記複数の部品のうちの少なくとも１つの部品を含む、前記複数のグループと、各グループに対するユーザのグループ単位関心度との対応関係において前記複数のグループのうちで前記グループ単位関心度が最も高い第１グループに含まれる第１部品及び前記ヘッダ部を取得するための部分コンテンツ取得要求を前記コンテンツ提供装置へ送信し、前記複数のグループのうちの前記第１グループを除く残りの各第２グループに含まれる第２部品を取得するための複数のグループ取得要求を、前記部分コンテンツ取得要求よりも後に前記コンテンツ提供装置へ送信し、前記部分コンテンツ取得要求に対応する前記第１部品及び前記ヘッダ部を、各グループ取得要求に対応する前記第２部品を取得する前に、前記コンテンツ提供装置から取得し、前記取得された第２部品を表示部に表示させる前に、前記取得された第１部品及びヘッダ部を前記表示部に表示させる。
【０００９】
第３の態様にかかる制御プログラムは、ヘッダ部及び複数の部品を含み且つコンテンツ提供装置から提供されるウェブコンテンツの、前記複数の部品を関連性に基づいてグルーピングした複数のグループであって、各グループが前記複数の部品のうちの少なくとも１つの部品を含む、前記複数のグループと、各グループに対するユーザのグループ単位関心度との対応関係において前記複数のグループのうちで前記グループ単位関心度が最も高い第１グループに含まれる第１部品及び前記ヘッダ部を取得するための部分コンテンツ取得要求を前記コンテンツ提供装置へ送信し、前記複数のグループのうちの前記第１グループを除く残りの各第２グループに含まれる第２部品を取得するための複数のグループ取得要求を、前記部分コンテンツ取得要求よりも後に前記コンテンツ提供装置へ送信し、前記部分コンテンツ取得要求に対応する前記第１部品及び前記ヘッダ部を、各グループ取得要求に対応する前記第２部品を取得する前に、前記コンテンツ提供装置から取得し、前記取得された第２部品を表示部に表示させる前に、前記取得された第１部品及びヘッダ部を前記表示部に表示させる、処理を、制御装置に実行させる。
【発明の効果】
【００１０】
本開示により、ユーザの利便性を向上させることができる、制御装置、制御方法、及び制御プログラムを提供することができる。
【図面の簡単な説明】
【００１１】
【図１】第１実施形態のシステムの一例を示すブロック図である。
【図２】第１実施形態の制御装置を含むクライアント装置の一例を示すブロック図である。
【図３】ウェブコンテンツの一例を示す図である。
【図４】ウェブコンテンツの表示状態の一例を示す図である。
【図５】第２実施形態のクライアント装置の一例を示すブロック図である。
【図６】部品単位関心度テーブルの一例を示す図である。
【図７】対応関係テーブルの一例を示す図である。
【図８】第２実施形態のサーバ装置の一例を示すブロック図である。
【図９】ウェブコンテンツの分割例を示す図である。
【図１０】部品情報テーブルの一例を示す図である。
【図１１】第２実施形態のクライアント装置による初回取得時の処理動作の一例を示すフローチャートである。
【図１２】第２実施形態の初回取得時のサーバ装置による処理動作の一例を示すフローチャートである。
【図１３】第２実施形態のクライアント装置による２回目以降の取得時の処理動作の一例を示すフローチャートである。
【図１４】第２実施形態の２回目以降の取得時のサーバ装置による処理動作の一例を示すフローチャートである。
【図１５】第２実施形態の２回目以降の取得時のサーバ装置による処理動作の一例を示すフローチャートである。
【図１６】第４実施形態のクライアント装置の一例を示すブロック図である。
【図１７】第４実施形態のサーバ装置の一例を示すブロック図である。
【図１８】第４実施形態のクライアント装置による２回目以降の取得時の処理動作の一例を示すフローチャートである。
【図１９】第４実施形態のサーバ装置による２回目以降の取得時の処理動作の一例を示すフローチャートである。
【図２０】制御装置のハードウェア構成例を示す図である。
【図２１】サーバ装置のハードウェア構成例を示す図である。
【発明を実施するための形態】
【００１２】
以下、図面を参照しつつ、実施形態について説明する。なお、実施形態において、同一又は同等の要素には、同一の符号を付し、重複する説明は省略される。
【００１３】
＜第１実施形態＞
＜システムの概要＞
図１は、第１実施形態のシステムの一例を示すブロック図である。図１においてシステム１は、クライアント装置（通信端末）１０と、サーバ装置（コンテンツ提供装置）２０とを含んでいる。クライアント装置１０とサーバ装置２０とは、例えばインターネットを介して通信可能に接続されている。クライアント装置１０及びサーバ装置２０は、無線通信を行ってもよいし、有線通信を行ってもよい。
【００１４】
クライアント装置１０は、取得対象のウェブコンテンツの取得要求をサーバ装置２０へ送信する。そして、サーバ装置２０は、クライアント装置１０から送信された取得要求を受信し、受信した取得要求に対応するウェブコンテンツをクライアント装置１０へ送信する。そして、クライアント装置１０は、サーバ装置２０から送信されたウェブコンテンツを受信し、受信したウェブコンテンツを表示部に表示する。
【００１５】
＜制御装置の構成例＞
図２は、第１実施形態の制御装置を含むクライアント装置の一例を示すブロック図である。図２においてクライアント装置１０は、操作部１１と、表示部１２と、送信部１３と、受信部１４と、記憶部１５と、制御部（制御装置）１６とを有している。
【００１６】
操作部１１は、クライアント装置１０のユーザによって操作される機能部である。操作部１１は、ユーザの操作に応じた操作信号を制御部１６へ出力する。
【００１７】
表示部１２は、制御部１６の制御に従って、情報を表示する。
【００１８】
送信部１３は、制御部１６の制御に従って、制御部１６から受け取った信号に対して送信処理を行って得られた送信信号を送信する。
【００１９】
受信部１４は、受信した信号に対して受信処理を行って受信処理後の信号を制御部１６へ出力する。
【００２０】
記憶部１５は、「複数のグループ」と、各グループに対するユーザの「グループ単位関心度」との「対応関係」を記憶（保持）している。「対応関係」は、例えば、「対応関係テーブル」として記憶されている。上記の「複数のグループ」は、サーバ装置２０から提供される「ウェブコンテンツ」に含まれる「複数の部品」を「関連性」に基づいてグルーピングしたものである。また、各「グループ」は、「ウェブコンテンツ」に含まれる複数の部品のうちの少なくとも１つの部品を含む。「ウェブコンテンツ」は、「ヘッダ部」及び「複数の部品」を含んでいる。
【００２１】
図３は、ウェブコンテンツの一例を示す図である。図４は、ウェブコンテンツの表示状態の一例を示す図である。図３及び図４では、一例として、天気予報に関するウェブコンテンツが示されている。図３に示すように、ウェブコンテンツは、ヘッダ部の他に、部品Ｐ１，Ｐ２，Ｐ３を含んでいる。図３に示すウェブコンテンツにおいて、部品Ｐ１は、「全国の天気」に関する部品であり、部品Ｐ２は、「今日・明日の天気」に関する部品であり、部品Ｐ３は、「一週間の天気」に関する部品である。図３に示すウェブコンテンツが表示部１２に表示されたときの表示において表示部分Ｐ１１は、部品Ｐ１に対応し、表示部分Ｐ２１は、部品Ｐ２に対応し、表示部分Ｐ３１は、部品Ｐ３に対応する。
【００２２】
ここで、上記の「関連性」に関して、例えば、「ウェブコンテンツ」の全体に含まれる複数の部品のうちで、一の部品に対する操作に起因して他の部品の表示変化する場合、該一の部品と該他の部品との間には、「関連性」が有る。すなわち、例えば、ユーザが操作部１１を操作してポインタを「今日・明日の天気」の「今日の天気」の表示上に置いたときに、「一週間の天気」の表示において今日に対応する曜日が強調表示される場合、部品Ｐ２と部品Ｐ３との間には「関連性」が有る。
【００２３】
制御部１６は、図２に示すように、取得制御部１６Ａと、表示制御部１６Ｂとを含む。
【００２４】
取得制御部１６Ａは、まず、送信部１３に対して「部分コンテンツ取得要求」をサーバ装置２０へ送信させる。「部分コンテンツ取得要求」は、上記「対応関係」において複数のグループのうちで「グループ単位関心度」が最も高いグループ（第１グループ）に含まれる部品（第１部品）及びヘッダ部を取得するための要求信号である。例えば、取得制御部１６Ａは、「部分コンテンツ取得要求」に、第１グループのグループＩＤ及び第１グループを構成する第１部品の部品ＩＤを含める。ここで、「ウェブコンテンツ」に含まれる複数の部品のうちの一部とヘッダ部とを合わせて、「部分コンテンツ（又は、抽出コンテンツ）」と呼ぶ。
【００２５】
また、取得制御部１６Ａは、送信部１３に対して、複数の「グループ取得要求」を、「部分コンテンツ取得要求」よりも後に、サーバ装置２０へ送信する。複数の「グループ取得要求」は、上記「対応関係」の複数のグループのうちの上記第１グループを除く残りの各グループ（第２グループ）に含まれる部品（第２部品）を取得するための要求である。例えば、取得制御部１６Ａは、「グループ取得要求」に、第２グループのグループＩＤ及び第２グループを構成する第２部品の部品ＩＤを含める。
【００２６】
そして、取得制御部１６Ａは、「部分コンテンツ取得要求」に対応する第１部品及びヘッダ部を、各「グループ取得要求」に対応する第２部品を取得する前に、サーバ装置２０から受信部１４を介して取得する。そして、取得制御部１６Ａは、「部分コンテンツ取得要求」に対応する第１部品及びヘッダ部を取得した後に、各「グループ取得要求」に対応する第２部品を、受信部１４を介して取得する。
【００２７】
表示制御部１６Ｂは、取得制御部１６Ａで取得される第２部品を表示部１２に表示させる前に、取得制御部１６Ａで取得された第１部品及びヘッダ部を表示部１２に表示させる。
【００２８】
以上のように第１実施形態によれば、クライアント装置１０の制御部（制御装置）１６にて取得制御部１６Ａは、上記「グループ取得要求」を送信する前に、上記「部分コンテンツ取得要求」を送信する。そして、取得制御部１６Ａは、「部分コンテンツ取得要求」に対応する第１部品及びヘッダ部を、「グループ取得要求」に対応する第２部品を取得する前に、取得する。そして、表示制御部１６Ｂは、取得制御部１６Ａで取得される第２部品を表示部１２に表示させる前に、取得制御部１６Ａで取得された第１部品及びヘッダ部を表示部１２に表示させる。
【００２９】
この制御部（制御装置）１６の構成により、「グループ単位関心度」が最も高い第１グループをグループ単位で最初に取得して、取得した第１グループをグループ単位で最初に表示させることができる。これにより、ユーザが第１グループに含まれる関連性の有る複数の第１部品の表示を一度に観ることができるので、ユーザの利便性を向上させることができる。また、これにより、ウェブコンテンツの全体を取得した後にウェブコンテンツの全体を表示させるのに比べて、早いタイミングで第１グループを取得して表示させることができる。これにより、例えばクライアント装置１０が伝搬環境の悪い場所に存在する場合であっても、表示遅延によってユーザが感じる不快感を低減することができる。
【００３０】
＜第２実施形態＞
第２実施形態は、より具体的な実施形態に関する。なお、第２実施形態のシステムの基本構成は、第１実施形態のシステム１と同じなので、図１を参照して説明する。第２実施形態のシステムは、図１においてクライアント装置１０及びサーバ装置２０の代わりに、第２実施形態のクライアント装置及びサーバ装置を含んでいる。
【００３１】
＜クライアント装置の構成例＞
図５は、第２実施形態のクライアント装置の一例を示すブロック図である。図５においてクライアント装置（通信端末）３０は、制御部（制御装置）３１を含む。制御部（制御装置）３１は、操作受付部３１Ａと、取得制御部３１Ｂと、表示制御部３１Ｃと、関心度測定部３１Ｄと、関連性判定部３１Ｅと、グループ単位関心度算出部３１Ｆとを有している。
【００３２】
操作受付部３１Ａは、操作部１１から出力される操作信号を受け付ける。
【００３３】
取得制御部３１Ｂは、ウェブコンテンツを初めて取得するためのユーザによる操作信号が操作受付部３１Ａによって受け付けられた場合（つまり、「初回取得時」には）、送信部１３に対して、「全体取得要求」を後述するサーバ装置４０へ送信させる。「全体取得要求」は、ウェブコンテンツの全体（つまり、「全体コンテンツ」（又は、「完成形コンテンツ」））を取得するための要求である。そして、取得制御部３１Ｂは、ウェブコンテンツの全体をサーバ装置４０から受信部１４を介して取得する。ここで、サーバ装置４０から取得されるウェブコンテンツ（全体コンテンツ及び部分コンテンツ）には、サーバ装置４０によって、ウェブコンテンツにおける各部品の場所（位置）に「部品識別子（部品ＩＤ）」が埋め込まれている。
【００３４】
また、取得制御部３１Ｂは、「２回目以降の取得時」には、第１実施形態の取得制御部１６Ａと同様に、まず、送信部１３に対して「部分コンテンツ取得要求」をサーバ装置２０へ送信させる。「２回目以降の取得時」には、取得が初めてではないウェブコンテンツを取得するための操作信号が操作受付部３１Ａによって受け付けられる。
【００３５】
また、取得制御部３１Ｂは、「２回目以降の取得時」には、第１実施形態の取得制御部１６Ａと同様に、送信部１３に対して、複数の「グループ取得要求」を、「部分コンテンツ取得要求」よりも後に、サーバ装置２０へ送信させる。具体的には、取得制御部３１Ｂは、複数のグループ取得要求を、上記の対応関係におけるグループ単位関心度が高い第２グループに対応するグループ取得要求から順番に送信する。そして、取得制御部３１Ｂは、グループ取得要求の送信順序に従って、グループ取得要求に対応する第２部品をサーバ装置４０から取得する。
【００３６】
表示制御部３１Ｃは、「初回取得時」には、取得制御部３１Ｂで取得された全体コンテンツを表示部１２に表示させる。
【００３７】
また、表示制御部３１Ｃは、「２回目以降の取得時」には、第１実施形態の表示制御部１６Ｂと同様に、取得制御部３１Ｂで取得される第２部品を表示部１２に表示させる前に、取得制御部３１Ｂで取得された第１部品及びヘッダ部を表示部１２に表示させる。そして、表示制御部３１Ｃは、取得制御部３１Ｂで取得された第２部品を取得順序に従って表示部１２に表示させる。すなわち、表示制御部３１Ｃは、最初に部分コンテンツを表示部１２に表示させ、続いて、順次取得される第２部品を部分コンテンツにマージしながら表示部１２に表示させる。
【００３８】
関心度測定部３１Ｄは、表示部１２に表示されたウェブコンテンツ（全体コンテンツ及び部分コンテンツ）の部品毎のユーザ操作を監視して、部品毎のユーザの関心度（つまり、「部品単位関心度」）を測定する。関心度の測定には、既知の技術を用いることができる。また、関心度の測定には、表示部１２に部品表示部分が表示されている時間又は部品表示部分内のボタンが操作された回数等が用いられてもよい。そして、関心度測定部３１Ｄは、測定した部品単位関心度によって、「部品単位関心度テーブル」を更新する。「部品単位関心度テーブル」は、記憶部１５に記憶（保持）されている。
【００３９】
図６は、部品単位関心度テーブルの一例を示す図である。図６において部品単位関心度テーブルは、ウェブコンテンツのＵＲＬと、該ウェブコンテンツに含まれる複数の部品にそれぞれ対応する複数の部品ＩＤと、各部品ＩＤに対応する部品単位関心度とを対応付けて保持している。例えば、図６の部品単位関心度テーブルにおいて、部品ＩＤ＝１は、上記の部品Ｐ１の部品ＩＤに対応し、部品ＩＤ＝２は、上記の部品Ｐ２の部品ＩＤに対応し、部品ＩＤ＝３は、上記の部品Ｐ３の部品ＩＤに対応する。図６に示すように部品単位関心度は、数値化されている。
【００４０】
図５の説明に戻り、関連性判定部（グループ形成部）３１Ｅは、ウェブコンテンツに含まれる複数の部品を「関連性」に基づいてグルーピングして、複数のグループを形成する。例えば、関連性判定部３１Ｅは、ウェブコンテンツに含まれる複数の部品のうちで、一の部品に対する操作に起因して他の部品の表示変化する場合、該一の部品と該他の部品との間には、「関連性」が有ると判定する。そして、関連性判定部３１Ｅは、関連性が有ると判定した複数の部品を１つのグループとする。すなわち、関連性判定部３１Ｅは、ウェブコンテンツに含まれる複数の部品のうちで、一の部品に対する操作に起因した他の部品の表示変化の有無に基づいて、複数の部品をグルーピングしている。ここでは、第１実施形態で説明したように、部品Ｐ２と部品Ｐ３との間に「関連性」が有るものとする。
【００４１】
例えば、関連性判定部３１Ｅは、操作受付部３１Ａにて一の部品に対する操作が受け付けられると、該操作に応じた処理が実行される前の表示画像（第１表示画像）を表示制御部３１Ｃに対してキャプチャさせる。また、関連性判定部３１Ｅは、該操作に応じた処理が実行された後の表示画像（第２表示画像）を表示制御部３１Ｃに対してキャプチャさせる。そして、関連性判定部３１Ｅは、第１表示画像と第２表示画像とを比較して、第１表示画像と第２表示画像との間の差異部分に対応する部品を特定する。具体的には、関連性判定部３１Ｅは、第１表示画像と第２表示画像との間の差異部分の座標を計算し、計算された座標に対応する表示部１２上の位置に表示されている部品を特定する。
【００４２】
グループ単位関心度算出部３１Ｆは、部品単位関心度テーブルを用いて、関連性判定部３１Ｅによって形成されたグループ毎の「グループ単位関心度」を算出する。例えば、グループ単位関心度算出部３１Ｆは、一のグループに含まれる複数の部品にそれぞれ対応する複数の部品単位関心度のうちの最大のものを、該一のグループのグループ単位関心度としてもよい。そして、グループ単位関心度算出部３１Ｆは、算出したグループ単位関心度を用いて、上記の「対応関係テーブル」を更新する。「対応関係テーブル」は、記憶部１５に記憶（保持）されている。
【００４３】
図７は、対応関係テーブルの一例を示す図である。図７において対応関係テーブルは、ウェブコンテンツのＵＲＬと、該ウェブコンテンツにおける複数のグループと、各グループの構成部品の部品ＩＤと、各グループのグループ単位関心度とを対応付けて保持している。
【００４４】
＜サーバ装置の構成例＞
図８は、第２実施形態のサーバ装置の一例を示すブロック図である。図８においてサーバ装置（コンテンツ提供装置）４０は、受信部４１と、送信部４２と、記憶部４３と、制御部４４とを有している。制御部４４は、要求受付部４４Ａと、コンテンツ取得部４４Ｂと、コンテンツ分割部４４Ｃと、提供制御部４４Ｄとを有している。
【００４５】
要求受付部４４Ａは、クライアント装置３０から送信された「要求」を、受信部４１を介して受け付ける。該「要求」は、「全体取得要求」、「部分コンテンツ取得要求」、又は「グループ取得要求」である。
【００４６】
コンテンツ取得部４４Ｂは、要求受付部４４Ａによって「要求」が受け付けられると、該「要求」に対応するウェブコンテンツを取得する。コンテンツ取得部４４Ｂは、該「要求」に対応するウェブコンテンツが記憶部４３に保持されている場合には、該ウェブコンテンツ（オリジナルウェブコンテンツ）を記憶部４３から取得する。また、コンテンツ取得部４４Ｂは、該「要求」に対応するウェブコンテンツがサーバ装置４０以外の他の装置に保持されている場合には、「コンテンツ送信要求」を該他の装置へ送信部４２を介して送信する。そして、コンテンツ取得部４４Ｂは、「コンテンツ送信要求」に応じて該他の装置から送信されたウェブコンテンツ（オリジナルウェブコンテンツ）を、受信部４１を介して取得する。
【００４７】
コンテンツ分割部４４Ｃは、コンテンツ取得部４４Ｂで取得されたウェブコンテンツを解析して、ウェブコンテンツを複数の部品に分割する。例えば、コンテンツ分割部４４Ｃは、ウェブコンテンツにおいて「分割対象レベル」までの各要素を部品とする。ここで、例えば、ウェブコンテンツにおけるBODY要素をレベルゼロとする。図３に示した例は、「分割対象レベル」が「レベル１」のケースである。図９には、「分割対象レベル」が「レベル３」であるケースの分割例が示されている。ただし、ウェブコンテンツにおいて領域を表さないＨＲ要素等は、部品の対象から除外されている。
【００４８】
そして、コンテンツ分割部４４Ｃは、ウェブコンテンツの分割処理によって得られた部品に関する情報を用いて、「部品情報テーブル」を更新する。図１０は、部品情報テーブルの一例を示す図である。図１０において部品情報テーブルは、ウェブコンテンツのＵＲＬと、該ウェブコンテンツを分割して得られた複数の部品に対応する複数の部品ＩＤと、各部品のウェブコンテンツ内の位置情報とを対応付けて保持している。
【００４９】
提供制御部４４Ｄは、要求受付部４４Ａによって「全体取得要求」が受け付けられた場合、部品情報テーブルを参照して、コンテンツ取得部４４Ｂで取得されたウェブコンテンツに対して、該ウェブコンテンツにおける各部品の要素に、「部品識別情報」を埋め込む。例えば、提供制御部４４Ｄは、「部品識別情報」として、「data−＜任意の文字列＞＝＜部品ＩＤ＞」という属性を埋め込む。そして、提供制御部４４Ｄは、「部品識別情報」を埋め込んだウェブコンテンツ（全体コンテンツ）を、送信部４２を介してクライアント装置３０へ送信する。
【００５０】
また、提供制御部４４Ｄは、要求受付部４４Ａによって「部分コンテンツ取得要求」が受け付けられた場合、コンテンツ取得部４４Ｂで取得されたウェブコンテンツから「部分コンテンツ」を形成する。例えば、提供制御部４４Ｄは、部品情報テーブルを参照して、コンテンツ取得部４４Ｂで取得されたウェブコンテンツに「部品識別情報」を埋め込むと共に、「部分コンテンツ取得要求」に対応する第１部品以外の部品（上記の第２部品に対応）をウェブコンテンツから削除する。例えば、「部分コンテンツ取得要求」には第１部品の部品ＩＤが含まれているので、提供制御部４４Ｄは、部品情報テーブルにて第１部品以外の第２部品と対応付けられている位置情報の部品をウェブコンテンツから削除する。そして、提供制御部４４Ｄは、形成された「部分コンテンツ」を、送信部４２を介してクライアント装置３０へ送信する。
【００５１】
また、提供制御部４４Ｄは、「グループ取得要求」が受け付けられた場合、コンテンツ取得部４４Ｂで取得されたウェブコンテンツから「グループ取得要求」に対応する部品（第２部品）を取り出す。そして、提供制御部４４Ｄは、取り出した部品に「部品識別情報」を埋め込んで、「部品識別情報」が埋め込まれた部品を、送信部４２を介してクライアント装置３０へ送信する。
【００５２】
＜システムの動作例＞
以上の構成を有する第２実施形態のシステムの処理動作の一例について説明する。
【００５３】
〈初回取得時の処理動作〉
図１１は、第２実施形態のクライアント装置による初回取得時の処理動作の一例を示すフローチャートである。図１１のフローチャートは、ウェブコンテンツを初めて取得するためのユーザによる操作信号が操作受付部３１Ａによって受け付けられたときにスタートする。
【００５４】
取得制御部３１Ｂは、送信部１３に対して、「全体取得要求」をサーバ装置４０へ送信させる（ステップＳ１０１）。
【００５５】
次いで、取得制御部３１Ｂは、「全体取得要求」に対応する全体コンテンツを、サーバ装置４０から受信部１４を介して取得する（ステップＳ１０２）。
【００５６】
次いで、表示制御部３１Ｃは、取得制御部３１Ｂで取得された全体コンテンツを表示部１２に表示させる（ステップＳ１０３）。こうして表示された全体コンテンツの部品毎のユーザ操作を関心度測定部３１Ｄが監視して、関心度測定部３１Ｄによって部品単位関心度が測定される。そして、測定された部品単位関心度を用いて、「部品単位関心度テーブル」が更新される。さらに、こうして表示された全体コンテンツに含まれる複数の部品のうちで、一の部品に対する操作に起因した他の部品の表示変化の有無に基づいて、関連性判定部３１Ｅが、複数の部品をグルーピングする。そして、グループ単位関心度算出部３１Ｆは、部品単位関心度テーブルを用いて、関連性判定部３１Ｅによって形成されたグループ毎の「グループ単位関心度」を算出する。そして、グループ単位関心度算出部３１Ｆは、算出したグループ単位関心度を用いて、上記の「対応関係テーブル」を更新する。
【００５７】
図１２は、第２実施形態の初回取得時のサーバ装置による処理動作の一例を示すフローチャートである。図１２のフローチャートは、要求受付部４４Ａによって「全体取得要求」が受け付けられたときにスタートする。
【００５８】
コンテンツ取得部４４Ｂは、要求受付部４４Ａによって受け付けられた「全体取得要求」に対応するウェブコンテンツを取得する（ステップＳ２０１）。
【００５９】
次いで、コンテンツ分割部４４Ｃは、コンテンツ取得部４４Ｂで取得されたウェブコンテンツを解析して、ウェブコンテンツを複数の部品に分割する（ステップＳ２０２）。
【００６０】
次いで、コンテンツ分割部４４Ｃは、ウェブコンテンツの分割処理によって得られた部品に関する情報を用いて、「部品情報テーブル」を更新する（ステップＳ２０３）。
【００６１】
次いで、提供制御部４４Ｄは、更新された部品情報テーブルを参照して、コンテンツ取得部４４Ｂで取得されたウェブコンテンツに対して、該ウェブコンテンツにおける各部品の要素に、「部品識別情報」を埋め込む（ステップＳ２０４）。
【００６２】
次いで、提供制御部４４Ｄは、「部品識別情報」を埋め込んだウェブコンテンツ（全体コンテンツ）を、送信部４２を介してクライアント装置３０へ送信する（ステップＳ２０５）。
【００６３】
〈２回目以降の取得時の処理動作〉
図１３は、第２実施形態のクライアント装置による２回目以降の取得時の処理動作の一例を示すフローチャートである。図１３のフローチャートは、取得が初めてではないウェブコンテンツを取得するための操作信号が操作受付部３１Ａによって受け付けられたときにスタートする。
【００６４】
取得制御部３１Ｂは、送信部１３に対して「部分コンテンツ取得要求」をサーバ装置４０へ送信させる（ステップＳ３０１）。上記の通り、「部分コンテンツ取得要求」は、上記「対応関係テーブル」において複数のグループのうちで「グループ単位関心度」が最も高いグループ（第１グループ）に含まれる部品（第１部品）及びヘッダ部を取得するための要求信号である。例えば、取得制御部３１Ｂは、「部分コンテンツ取得要求」に、第１グループのグループＩＤ及び第１グループを構成する第１部品の部品ＩＤを含める。
【００６５】
次いで、取得制御部３１Ｂは、「部分コンテンツ取得要求」に対応する部分コンテンツを、サーバ装置４０から受信部１４を介して取得する（ステップＳ３０２）。
【００６６】
次いで、表示制御部３１Ｃは、取得制御部３１Ｂで取得された部分コンテンツを表示部１２に表示させる（ステップＳ３０３）。こうして表示された部分コンテンツは、上記の部品単位関心度の測定対象となる。
【００６７】
次いで、取得制御部３１Ｂは、上記「対応関係テーブル」において第１グループを除く複数の第２グループであり且つ未選択である未選択グループのうちで最も関心度の高い１つの未選択グループを選択する（ステップＳ３０４）。
【００６８】
次いで、取得制御部３１Ｂは、送信部１３に対して、選択した未選択グループに対応する「グループ取得要求」をサーバ装置４０へ送信させる（ステップＳ３０５）。
【００６９】
次いで、取得制御部３１Ｂは、ステップＳ３０５で送信された「グループ取得要求」に対する第２グループの第２部品を、受信部１４を介して取得する（ステップＳ３０６）。
【００７０】
次いで、表示制御部３１Ｃは、表示部１２に表示されている部分コンテンツにステップＳ３０６で取得された第２部品をマージする（ステップＳ３０７）。部分コンテンツに第２部品をマージする場所は、部分コンテンツに埋め込まれている部品識別情報によって判断することができる。例えば、部品ＩＤ＝３の部品を第２部品としてマージする場合、部分コンテンツにおいて部品識別情報「data-part-id=3」を検索して、この部分識別情報が埋め込まれている場所に、部品ＩＤ＝３の部品が組み入れられればよい。こうして表示された部分コンテンツ及び第２部品は、上記の部品単位関心度の測定対象となる。
【００７１】
次いで、取得制御部３１Ｂは、全ての第２グループが選択済みか否かを判定する（ステップＳ３０８）。
【００７２】
未だ選択していない第２グループが有る場合（ステップＳ３０８ＮＯ）、処理ステップは、ステップＳ３０４に戻る。また、全ての第２グループが選択済みである場合（ステップＳ３０８ＹＥＳ）、図１３のフローは終了する。
【００７３】
図１４及び図１５は、第２実施形態の２回目以降の取得時のサーバ装置による処理動作の一例を示すフローチャートである。
【００７４】
図１４に示すフローチャートは、要求受付部４４Ａによって「部分コンテンツ取得要求」が受け付けられたときにスタートする。
【００７５】
コンテンツ取得部４４Ｂは、要求受付部４４Ａによって受け付けられた「部分コンテンツ取得要求」に対応するウェブコンテンツを取得する（ステップＳ４０１）。
【００７６】
提供制御部４４Ｄは、コンテンツ取得部４４Ｂで取得されたウェブコンテンツから「部分コンテンツ」を形成する（ステップＳ４０２）。
【００７７】
提供制御部４４Ｄは、形成された「部分コンテンツ」を、送信部４２を介してクライアント装置３０へ送信する（ステップＳ４０３）。
【００７８】
図１５に示すフローチャートは、要求受付部４４Ａによって「グループ取得要求」が受け付けられたときにスタートする。
【００７９】
コンテンツ取得部４４Ｂは、要求受付部４４Ａによって受け付けられた「グループ取得要求」に対応するウェブコンテンツを取得する（ステップＳ５０１）。
【００８０】
提供制御部４４Ｄは、コンテンツ取得部４４Ｂで取得されたウェブコンテンツから「グループ取得要求」に対応する部品（第２部品）を取り出す（ステップＳ５０２）。
【００８１】
提供制御部４４Ｄは、取り出した部品に「部品識別情報」を埋め込んで、「部品識別情報」が埋め込まれた部品を、送信部４２を介してクライアント装置３０へ送信する（ステップＳ５０３）。
【００８２】
以上のように第２実施形態によれば、クライアント装置３０の制御部（制御装置）３１にて取得制御部３１Ｂは、複数のグループ取得要求を、「対応関係」におけるグループ単位関心度が高い第２グループに対応するグループ取得要求から順番に送信する。そして、取得制御部３１Ｂは、グループ取得要求の送信順序に従って、グループ取得要求に対応する第２部品を取得する。
【００８３】
この制御部（制御装置）３１の構成により、関心度が高い順に第２グループをグループ単位で取得して、取得した第２グループをグループ単位で表示させることができる。
【００８４】
また、クライアント装置３０の制御部（制御装置）３１にて取得制御部３１Ｂは、「初回取得時」には、送信部１３に対して、「全体取得要求」をサーバ装置４０へ送信させる。表示制御部３１Ｃは、「初回取得時」には、取得制御部３１Ｂで取得された全体コンテンツを表示部１２に表示させる。そして、関心度測定部３１Ｄは、表示部１２に表示されたウェブコンテンツの部品毎のユーザ操作を監視して、「部品単位関心度」を測定する。そして、関連性判定部（グループ形成部）３１Ｅは、ウェブコンテンツに含まれる複数の部品のうちで、一の部品に対する操作に起因した他の部品の表示変化の有無に基づいて、複数の部品をグルーピングして、複数のグループを形成する。グループ単位関心度算出部３１Ｆは、関連性判定部３１Ｅによって形成されたグループ毎の「グループ単位関心度」を算出する。
【００８５】
この制御部（制御装置）３１の構成により、ウェブコンテンツに含まれる複数の部品のうちで関連性の有る部品をグルーピングすることができる。さらに、この制御部（制御装置）３１の構成により、取得優先度の指標となる、グループ毎の「グループ単位関心度」を算出することができる。
【００８６】
＜第３実施形態＞
第３実施形態は、第２実施形態のクライアント装置の変形例に関する。第３実施形態のクライアント装置の基本構成は、第２実施形態のクライアント装置３０と同じなので、図５を参照して説明する。
【００８７】
第２実施形態のクライアント装置３０にて取得制御部３１Ｂは、複数のグループ取得要求を、上記の対応関係におけるグループ単位関心度が高い第２グループに対応するグループ取得要求から順番に自動的に送信している。
【００８８】
これに対して、第３実施形態のクライアント装置３０の制御部（制御装置）３１にて取得制御部３１Ｂは、上記の対応関係におけるグループ単位関心度が「所定レベル」以上の第２グループについては、第２実施形態と同様に処理する。すなわち、取得制御部３１Ｂは、グループ単位関心度が高い第２グループに対応するグループ取得要求から順番に自動的に送信する。一方、第３実施形態のクライアント装置３０にて表示制御部３１Ｃは、上記の対応関係におけるグループ単位関心度が「所定レベル」よりも低い第２グループ（低関心度グループ）の第２部品の「表示予定位置」に「取得操作ボタン」を表示させる。そして、取得制御部３１Ｂは、ユーザの操作によって取得操作ボタンが押されたときに、低関心度グループの第２部品を取得するためのグループ取得要求を送信する。
【００８９】
この第３実施形態の制御部（制御装置）３１の構成により、低関心度グループについてはユーザの取得意思を確認した後に取得するので、ユーザが取得を望まない低関心度グループの取得を回避することができる。これにより、制御部（制御装置）３１における無駄な処理を回避することができる。
【００９０】
また、第３実施形態のクライアント装置３０の制御部（制御装置）３１にて関心度測定部３１Ｄは、取得操作ボタンが押されたことを関心度の測定に用いる。すなわち、関心度測定部３１Ｄは、低関心度グループの第２部品の「部品単位関心度」を、取得操作ボタンが押されたときに上げる。
【００９１】
この第３実施形態の制御部（制御装置）３１の構成により、「部品単位関心度」をより正確に測定することができる。
【００９２】
＜第４実施形態＞
第１実施形態から第３実施形態では、クライアント装置が「部分コンテンツ取得要求」及び「グループ取得要求」をサーバ装置へ送信することにより、「部分コンテンツ」及び「グループの部品」を取得している。これに対して、第４実施形態では、クライアント装置が「取得要求」と共に「対応関係」の情報をサーバ装置へ送信する。そして、サーバ装置は、「部分コンテンツ」をクライアント装置へ送信した後に、「対応関係テーブル」の情報を参照して、「グループ単位関心度」の高い第２グループから順番にクライアント装置へ自動的に送信する。
【００９３】
＜クライアント装置の構成例＞
図１６は、第４実施形態のクライアント装置の一例を示すブロック図である。図１６においてクライアント装置（通信端末）５０は、制御部（制御装置）５１を有する。制御部（制御装置）５１は、取得制御部５１Ａを有する。
【００９４】
取得制御部５１Ａは、「初回取得時」には、第２実施形態の取得制御部３１Ｂと同じ処理を実行する。
【００９５】
取得制御部５１Ａは、「２回目以降の取得時」には、第２実施形態の取得制御部３１Ｂと異なり、送信部１３に対して、「取得要求」及び上記の「対応関係」に関する情報を、サーバ装置２０へ送信させる。上記の「対応関係」に関する情報は、「取得要求」に含まれていてもよい。また、この「取得要求」として、第２実施形態の「部分コンテンツ取得要求」が用いられてもよい。
【００９６】
＜サーバ装置の構成例＞
図１７は、第４実施形態のサーバ装置の一例を示すブロック図である。図１７においてサーバ装置６０は、制御部６１を有する。制御部６１は、要求受付部４４Ａ、コンテンツ取得部４４Ｂ、及びコンテンツ分割部４４Ｃの他に、提供制御部６１Ａを有する。
【００９７】
要求受付部４４Ａ、コンテンツ取得部４４Ｂ、コンテンツ分割部４４Ｃ、及び提供制御部６１Ａは、「初回取得時」には、第２実施形態のコンテンツ取得部４４Ｂ、コンテンツ分割部４４Ｃ、及び提供制御部４４Ｄと同じ処理を行う。
【００９８】
要求受付部４４Ａは、「２回目以降の取得時」には、クライアント装置５０から送信された「取得要求」及び「対応関係」を受け付ける。そして、コンテンツ取得部４４Ｂは、要求受付部４４Ａによって「取得要求」及び「対応関係」が受け付けられると、該「取得要求」に対応するウェブコンテンツを取得する。
【００９９】
提供制御部６１Ａは、要求受付部４４Ａによって「取得要求」及び「対応関係」が受け付けられると、「部分コンテンツ」をクライアント装置５０へ送信する。その後に、提供制御部６１Ａは、「対応関係」の情報を参照して、「グループ単位関心度」の高い第２グループから順番にクライアント装置５０へ自動的に送信する。この自動的な送信には、例えば、WebSocketなどのPush技術が用いられる。
【０１００】
具体的には、提供制御部６１Ａは、要求受付部４４Ａによって「取得要求」及び「対応関係」が受け付けられると、コンテンツ取得部４４Ｂで取得されたウェブコンテンツから「部分コンテンツ」を形成する。例えば、提供制御部６１Ａは、部品情報テーブルを参照して、コンテンツ取得部４４Ｂで取得されたウェブコンテンツに「部品識別情報」を埋め込む。さらに、提供制御部６１Ａは、要求受付部４４Ａによって受け付けられた「対応関係」及び部品情報テーブルを参照して、第１部品以外の第２部品をウェブコンテンツから削除する。上記の通り、第１部品は、上記「対応関係」において複数のグループのうちで「グループ単位関心度」が最も高いグループ（第１グループ）に含まれる部品である。そして、提供制御部６１Ａは、形成された「部分コンテンツ」を、送信部４２を介してクライアント装置５０へ送信する。
【０１０１】
さらに、提供制御部６１Ａは、「対応関係」及び部品情報テーブルを参照して、コンテンツ取得部４４Ｂで取得されたウェブコンテンツから、グループ単位関心度が高い順に第２グループを順番に取り出す。そして、提供制御部６１Ａは、取り出した第２グループの第２部品に「部品識別情報」を埋め込む。そして、提供制御部６１Ａは、「部品識別情報」が埋め込まれた第２部品を、「グループ単位関心度」の高い第２グループの第２部品から順番にクライアント装置５０へ送信する。
【０１０２】
＜システムの動作例＞
以上の構成を有する第４実施形態のシステムの処理動作の一例について説明する。
【０１０３】
図１８は、第４実施形態のクライアント装置による２回目以降の取得時の処理動作の一例を示すフローチャートである。図１８のフローチャートは、取得が初めてではないウェブコンテンツを取得するための操作信号が操作受付部３１Ａによって受け付けられたときにスタートする。
【０１０４】
取得制御部５１Ａは、送信部１３に対して、「取得要求」及び「対応関係」に関する情報を、サーバ装置６０へ送信させる（ステップＳ６０１）。
【０１０５】
取得制御部５１Ａは、部分コンテンツを、サーバ装置６０から受信部１４を介して取得する（ステップＳ６０２）。
【０１０６】
表示制御部３１Ｃは、取得制御部５１Ａで取得された部分コンテンツを表示部１２に表示させる（ステップＳ６０３）。
【０１０７】
取得制御部５１Ａは、一の第２グループの第２部品を、サーバ装置６０から受信部１４を介して取得するまで待つ（ステップＳ６０４ＮＯ）。
【０１０８】
第２部品をサーバ装置６０から取得した場合（ステップＳ６０４ＹＥＳ）、表示制御部３１Ｃは、表示部１２に表示されている部分コンテンツにステップＳ６０４で取得された第２グループの第２部品をマージする（ステップＳ６０５）。
【０１０９】
取得制御部５１Ａは、全ての第２グループが取得済みであるか否かを判定する（ステップＳ６０６）。
【０１１０】
未だ取得していない第２グループが有る場合（ステップＳ６０６ＮＯ）、処理ステップは、ステップＳ６０４に戻る。また、全ての第２グループが取得済みである場合（ステップＳ６０６ＹＥＳ）、図１８のフローは終了する。
【０１１１】
図１９は、第４実施形態のサーバ装置による２回目以降の取得時の処理動作の一例を示すフローチャートである。図１９に示すフローチャートは、要求受付部４４Ａによって「取得要求」及び「対応関係」が受け付けられたときにスタートする。
【０１１２】
コンテンツ取得部４４Ｂは、要求受付部４４Ａによって受け付けられた「取得要求」に対応するウェブコンテンツを取得する（ステップＳ７０１）。
【０１１３】
提供制御部６１Ａは、受け付けられた「対応関係」及び部品情報テーブルを参照して、ステップＳ７０１で取得されたウェブコンテンツから「部分コンテンツ」を形成する（ステップＳ７０２）。
【０１１４】
提供制御部６１Ａは、ステップＳ７０２で形成された「部分コンテンツ」を、送信部４２を介してクライアント装置５０へ送信する（ステップＳ７０３）。
【０１１５】
提供制御部６１Ａは、ステップＳ７０１で取得されたウェブコンテンツから、「対応関係」における複数の第２グループであり且つ未だ取り出されていない未取出グループのうちで最もグループ単位関心度が高い１つの未取出グループを取り出す（ステップＳ７０４）。
【０１１６】
提供制御部６１Ａは、ステップＳ７０４で取り出した未取出グループの第２部品を、送信部４２を介してクライアント装置５０へ送信する（ステップＳ７０５）。
【０１１７】
提供制御部６１Ａは、全ての第２グループが取り出し済みであるか否かを判定する（ステップＳ７０６）。
【０１１８】
未だ取り出されていない第２グループが有る場合（ステップＳ７０６ＮＯ）、処理ステップは、ステップＳ７０４に戻る。また、全ての第２グループが取り出し済みである場合（ステップＳ７０６ＹＥＳ）、図１９のフローは終了する。
【０１１９】
以上のように第４実施形態によれば、サーバ装置６０にて提供制御部６１Ａは、「取得要求」及び「対応関係」をクライアント装置５０から受け付けた場合、「部分コンテンツ」をクライアント装置５０へ送信する。「部分コンテンツ」は、上記の通り、「対応関係」において複数のグループのうちで「グループ単位関心度」が最も高いグループ（第１グループ）に含まれる部品（第１部品）及びヘッダ部を含む。そして、提供制御部６１Ａは、「部分コンテンツ」を送信した後に、各第２グループに含まれる第２部品を、「対応関係」におけるグループ単位関心度が高い第２グループに対応する第２部品から順番に、クライアント装置５０へ送信する。各第２グループは、「対応関係」の複数のグループのうちの上記第１グループを除く残りの各グループである。
【０１２０】
このサーバ装置６０の構成により、クライアント装置５０に対して、「グループ単位関心度」が最も高い第１グループをグループ単位で最初に取得して、取得した第１グループをグループ単位で最初に表示させる、ことが可能となる。これにより、ユーザが第１グループに含まれる関連性の有る複数の第１部品の表示を一度に観ることができるので、ユーザの利便性を向上させることができる。また、これにより、ウェブコンテンツの全体を取得した後にウェブコンテンツの全体を表示させるのに比べて、早いタイミングで第１グループを取得して表示させることができる。これにより、例えばクライアント装置１０が伝搬環境の悪い場所に存在する場合であっても、表示遅延によってユーザが感じる不快感を低減することができる。
【０１２１】
＜他の実施形態＞
図２０は、制御装置のハードウェア構成例を示す図である。図２０において制御装置１００は、プロセッサ１０１と、メモリ１０２とを有している。第１実施形態から第４実施形態の制御部（制御装置）１６，３１，５１は、プロセッサ１０１がメモリ１０２に記憶されたプログラムを読み込んで実行することにより実現されてもよい。プログラムは、様々なタイプの非一時的なコンピュータ可読媒体（non-transitory computer readable medium）を用いて格納され、制御部（制御装置）１６，３１，５１に供給することができる。また、プログラムは、様々なタイプの一時的なコンピュータ可読媒体（transitory computer readable medium）によって制御部（制御装置）１６，３１，５１に供給されてもよい。
【０１２２】
図２１は、サーバ装置のハードウェア構成例を示す図である。図２１においてサーバ装置２００は、受信回路２０１と、送信回路２０２と、プロセッサ２０３と、メモリ２０４とを有している。第２実施形態から第４実施形態のサーバ装置４０，６０の受信部４１及び送信部４２は、受信回路２０１及び送信回路２０２によって実現されてもよい。また、記憶部４３は、メモリ２０４によって実現されてもよい。また、制御部４４，６１は、プロセッサ２０３がメモリ２０４に記憶されたプログラムを読み込んで実行することにより実現されてもよい。プログラムは、様々なタイプの非一時的なコンピュータ可読媒体（non-transitory computer readable medium）を用いて格納され、サーバ装置４０，６０に供給することができる。また、プログラムは、様々なタイプの一時的なコンピュータ可読媒体（transitory computer readable medium）によってサーバ装置４０，６０に供給されてもよい。
【０１２３】
以上、実施の形態を参照して本願発明を説明したが、本願発明は上記によって限定されるものではない。本願発明の構成や詳細には、発明のスコープ内で当業者が理解し得る様々な変更をすることができる。
【０１２４】
上記の実施形態の一部又は全部は、以下の付記のようにも記載されうるが、以下には限られない。
【０１２５】
（付記１）
ヘッダ部及び複数の部品を含み且つコンテンツ提供装置から提供されるウェブコンテンツの、前記複数の部品を関連性に基づいてグルーピングした複数のグループであって、各グループが前記複数の部品のうちの少なくとも１つの部品を含む、前記複数のグループと、各グループに対するユーザのグループ単位関心度との対応関係において前記複数のグループのうちで前記グループ単位関心度が最も高い第１グループに含まれる第１部品及び前記ヘッダ部を取得するための部分コンテンツ取得要求を前記コンテンツ提供装置へ送信し、前記複数のグループのうちの前記第１グループを除く残りの各第２グループに含まれる第２部品を取得するための複数のグループ取得要求を、前記部分コンテンツ取得要求よりも後に前記コンテンツ提供装置へ送信し、前記部分コンテンツ取得要求に対応する前記第１部品及び前記ヘッダ部を、各グループ取得要求に対応する前記第２部品を取得する前に、前記コンテンツ提供装置から取得する取得制御部と、
前記取得された第２部品を表示部に表示させる前に、前記取得された第１部品及びヘッダ部を前記表示部に表示させる表示制御部と、
を具備する制御装置。
【０１２６】
（付記２）
前記取得制御部は、前記複数のグループ取得要求を、前記対応関係における前記グループ単位関心度が高い前記第２グループに対応する前記グループ取得要求から順番に送信し、前記グループ取得要求の送信順序に従って、前記グループ取得要求に対応する前記第２部品を取得する、
付記１記載の制御装置。
【０１２７】
（付記３）
前記取得制御部は、前記ウェブコンテンツを初めて取得するためのユーザによる操作信号が受け付けられた場合、前記ウェブコンテンツの全体を取得するための全体取得要求を、前記コンテンツ提供装置へ送信し、前記ウェブコンテンツの全体を前記コンテンツ提供装置から取得し、
前記表示制御部は、前記取得したウェブコンテンツの全体を前記表示部に表示させ、
前記制御装置は、
前記表示されたウェブコンテンツの全体に含まれる各部品に対する前記ユーザの部品単位関心度を測定する部品単位関心度測定部と、
前記表示されたウェブコンテンツの全体に含まれる複数の部品のうちで、一の部品に対する操作に起因した他の部品の表示変化の有無に基づいて、前記複数の部品をグルーピングして、前記複数のグループを形成するグループ形成部と、
前記測定された部品単位関心度と前記形成された複数のグループとに基づいて、グループ単位関心度を算出するグループ単位関心度算出部と、
をさらに具備する、付記１又は２に記載の制御装置。
【０１２８】
（付記４）
前記表示制御部は、前記グループ単位関心度が所定レベルより小さい前記第２グループである低関心度グループの第２部品を前記表示部に表示させる前に、前記表示部における前記低関心度グループの第２部品の表示予定位置に取得操作ボタンを表示させ、
前記取得制御部は、前記ユーザの操作によって前記取得操作ボタンが押されたときに、前記低関心度グループの第２部品を取得するための前記グループ取得要求を送信する、
付記１から３のいずれか１項に記載の制御装置。
【０１２９】
（付記５）
制御装置によって実行される制御方法であって、
ヘッダ部及び複数の部品を含み且つコンテンツ提供装置から提供されるウェブコンテンツの、前記複数の部品を関連性に基づいてグルーピングした複数のグループであって、各グループが前記複数の部品のうちの少なくとも１つの部品を含む、前記複数のグループと、各グループに対するユーザのグループ単位関心度との対応関係において前記複数のグループのうちで前記グループ単位関心度が最も高い第１グループに含まれる第１部品及び前記ヘッダ部を取得するための部分コンテンツ取得要求を前記コンテンツ提供装置へ送信し、
前記複数のグループのうちの前記第１グループを除く残りの各第２グループに含まれる第２部品を取得するための複数のグループ取得要求を、前記部分コンテンツ取得要求よりも後に前記コンテンツ提供装置へ送信し、
前記部分コンテンツ取得要求に対応する前記第１部品及び前記ヘッダ部を、各グループ取得要求に対応する前記第２部品を取得する前に、前記コンテンツ提供装置から取得し、
前記取得された第２部品を表示部に表示させる前に、前記取得された第１部品及びヘッダ部を前記表示部に表示させる、
制御方法。
【０１３０】
（付記６）
前記複数のグループ取得要求を、前記対応関係における前記グループ単位関心度が高い前記第２グループに対応する前記グループ取得要求から順番に送信し、
前記グループ取得要求の送信順序に従って、前記グループ取得要求に対応する前記第２部品を取得する、
付記５記載の制御方法。
【０１３１】
（付記７）
前記ウェブコンテンツを初めて取得するためのユーザによる操作信号が受け付けられた場合、前記ウェブコンテンツの全体を取得するための全体取得要求を、前記コンテンツ提供装置へ送信し、
前記ウェブコンテンツの全体を前記コンテンツ提供装置から取得し、
前記取得したウェブコンテンツの全体を前記表示部に表示させ、
前記表示されたウェブコンテンツの全体に含まれる各部品に対する前記ユーザの部品単位関心度を測定し、
前記表示されたウェブコンテンツの全体に含まれる複数の部品のうちで、一の部品に対する操作に起因した他の部品の表示変化の有無に基づいて、前記複数の部品をグルーピングして、前記複数のグループを形成し、
前記測定された部品単位関心度と前記形成された複数のグループとに基づいて、グループ単位関心度を算出する、
付記５又は６に記載の制御方法。
【０１３２】
（付記８）
前記グループ単位関心度が所定レベルより小さい前記第２グループである低関心度グループの第２部品を前記表示部に表示させる前に、前記表示部における前記低関心度グループの第２部品の表示予定位置に取得操作ボタンを表示させ、
前記ユーザの操作によって前記取得操作ボタンが押されたときに、前記低関心度グループの第２部品を取得するための前記グループ取得要求を送信する、
付記５から７のいずれか１項に記載の制御方法。
【０１３３】
（付記９）
ヘッダ部及び複数の部品を含み且つコンテンツ提供装置から提供されるウェブコンテンツの、前記複数の部品を関連性に基づいてグルーピングした複数のグループであって、各グループが前記複数の部品のうちの少なくとも１つの部品を含む、前記複数のグループと、各グループに対するユーザのグループ単位関心度との対応関係において前記複数のグループのうちで前記グループ単位関心度が最も高い第１グループに含まれる第１部品及び前記ヘッダ部を取得するための部分コンテンツ取得要求を前記コンテンツ提供装置へ送信し、
前記複数のグループのうちの前記第１グループを除く残りの各第２グループに含まれる第２部品を取得するための複数のグループ取得要求を、前記部分コンテンツ取得要求よりも後に前記コンテンツ提供装置へ送信し、
前記部分コンテンツ取得要求に対応する前記第１部品及び前記ヘッダ部を、各グループ取得要求に対応する前記第２部品を取得する前に、前記コンテンツ提供装置から取得し、
前記取得された第２部品を表示部に表示させる前に、前記取得された第１部品及びヘッダ部を前記表示部に表示させる、
処理を、制御装置に実行させる制御プログラム。
【０１３４】
（付記１０）
ヘッダ部及び複数の部品を含み且つ自コンテンツ提供装置から提供されるウェブコンテンツの、前記複数の部品を関連性に基づいてグルーピングした複数のグループであって、各グループが前記複数の部品のうちの少なくとも１つの部品を含む、前記複数のグループと、各グループに対するユーザのグループ単位関心度との対応関係、及び、取得要求を、制御装置から受け付けた場合、前記対応関係において前記複数のグループのうちで前記グループ単位関心度が最も高い第１グループに含まれる第１部品及び前記ヘッダ部を、前記制御装置へ送信し、
前記第１部品及び前記ヘッダ部を送信した後に、前記複数のグループのうちの前記第１グループを除く残りの各第２グループに含まれる第２部品を、前記対応関係における前記グループ単位関心度が高い前記第２グループに対応する第２部品から順番に、前記制御装置へ送信する、
コンテンツ提供制御部、を具備する、
コンテンツ提供装置。
【０１３５】
（付記１１）
コンテンツ提供装置によって実行されるコンテンツ提供方法であって、
ヘッダ部及び複数の部品を含み且つ前記コンテンツ提供装置から提供されるウェブコンテンツの、前記複数の部品を関連性に基づいてグルーピングした複数のグループであって、各グループが前記複数の部品のうちの少なくとも１つの部品を含む、前記複数のグループと、各グループに対するユーザのグループ単位関心度との対応関係、及び、取得要求を、制御装置から受け付けた場合、前記対応関係において前記複数のグループのうちで前記グループ単位関心度が最も高い第１グループに含まれる第１部品及び前記ヘッダ部を、前記制御装置へ送信し、
前記第１部品及び前記ヘッダ部を送信した後に、前記複数のグループのうちの前記第１グループを除く残りの各第２グループに含まれる第２部品を、前記対応関係における前記グループ単位関心度が高い前記第２グループに対応する第２部品から順番に、前記制御装置へ送信する、
コンテンツ提供方法。
【０１３６】
（付記１２）
ヘッダ部及び複数の部品を含み且つコンテンツ提供装置から提供されるウェブコンテンツの、前記複数の部品を関連性に基づいてグルーピングした複数のグループであって、各グループが前記複数の部品のうちの少なくとも１つの部品を含む、前記複数のグループと、各グループに対するユーザのグループ単位関心度との対応関係、及び、取得要求を、制御装置から受け付けた場合、前記対応関係において前記複数のグループのうちで前記グループ単位関心度が最も高い第１グループに含まれる第１部品及び前記ヘッダ部を、前記制御装置へ送信し、
前記第１部品及び前記ヘッダ部を送信した後に、前記複数のグループのうちの前記第１グループを除く残りの各第２グループに含まれる第２部品を、前記対応関係における前記グループ単位関心度が高い前記第２グループに対応する第２部品から順番に、前記制御装置へ送信する、
処理を、前記コンテンツ提供装置に実行させる、コンテンツ提供制御プログラム。
【符号の説明】
【０１３７】
１０，３０，５０  クライアント装置（通信端末）
１１  操作部
１２  表示部
１３  送信部
１４  受信部
１５  記憶部
１６，３１，５１  制御部（制御装置）
１６Ａ，３１Ｂ，５１Ａ  取得制御部
１６Ｂ，３１Ｃ  表示制御部
２０，４０，６０  サーバ装置（コンテンツ提供装置）
３１Ａ  操作受付部
３１Ｄ  関心度測定部
３１Ｅ  関連性判定部（グループ形成部）
３１Ｆ  グループ単位関心度算出部
４１  受信部
４２  送信部
４３  記憶部
４４，６１  制御部
４４Ａ  要求受付部
４４Ｂ  コンテンツ取得部
４４Ｃ  コンテンツ分割部
４４Ｄ，６１Ａ  提供制御部
【図１】
2019144982.tif 000003
【図２】
2019144982.tif 000004
【図３】
2019144982.tif 000005
【図４】
2019144982.tif 000006
【図５】
2019144982.tif 000007
【図６】
2019144982.tif 000008
【図７】
2019144982.tif 000009
【図８】
2019144982.tif 000010
【図９】
2019144982.tif 000011
【図１０】
2019144982.tif 000012
【図１１】
2019144982.tif 000013
【図１２】
2019144982.tif 000014
【図１３】
2019144982.tif 000015
【図１４】
2019144982.tif 000016
【図１５】
2019144982.tif 000017
【図１６】
2019144982.tif 000018
【図１７】
2019144982.tif 000019
【図１８】
2019144982.tif 000020
【図１９】
2019144982.tif 000021
【図２０】
2019144982.tif 000022
【図２１】
2019144982.tif 000023